(57)【要約】  【課題】  本考案は、肌触りがよく、汚液の滲み出等の発生を充分防止でき、かつ他の繊維製品などへの汚液の浸入を防止できると共にその厚みが薄くて取り扱いやすい医療用又は介護用のパッドを提供することを目的とする  【解決手段】  吸水シートの両面にそれぞれ１〜５枚の吸水紙を積層してなる積層物の一方の面を透水性素材で被覆し、積層物の他方の面を非透水性素材で被覆したことを特徴とする医療用又は介護用パッドであり、この場合、吸水紙としては、吸水量が０．９％生理食塩水に対し自重の５倍〜１５倍のものを、吸水シートとしては、吸水量が０．９％生理食塩水に対し自重の２０倍以上、好ましくは３０倍〜１００倍、より好ましくは４０〜６０倍程度のものを用いるとよい。  【選択図】  図１
0003119908.tif 000002
【実用新案登録請求の範囲】
【請求項１】
吸水シートの両面にそれぞれ１〜５枚の吸水紙を積層してなる積層物の一方の面を透水性素材で被覆し、積層物の他方の面を非透水性素材で被覆したことを特徴とする医療用又は介護用パッド
【請求項２】
前記積層物が吸水シートの両面にそれぞれ２若しくは3枚の吸水紙を積層してなる積層物であることを特徴とする請求項１記載の医療用又は介護用パッド。
【考案の詳細な説明】
【技術分野】
【０００１】
本考案は、尿、汗、血液、その他の体液、付着水や薬液等の汚液や汚物の吸水、吸液処理に好適に用いられる医療用又は介護用パッドに関する。
【背景技術】
【０００２】
汚液等の吸水に好適に使用されるものとして、例えば、和紙等の不織布の間に顆粒（粉末）の吸水剤を挟持した吸水シートが開示されている（例えば、特許文献１参照）。しかし、この場合、被覆物が破れると顆粒が飛び散り取り扱いに不便であるばかりでなく、汚液等から吸水してシートが濡れてくると、シートに接する肌触りを悪化させ、さらにこのシートに接する他の繊維製品などに汚液が浸入しそれを汚すことになる。
【０００３】
また、吸水シートを用いその片面に防水性シートを積層してなる医療用脱臭防水シートが開示されているが（例えば、特許文献２参照）、この場合防水性シートによって、この防水シートに接する他の繊維製品などへの汚液の浸入を防止できるものの、濡れたシートに接する肌触りは改善されない。
【０００４】
さらに、１２枚程度の多数の吸水紙を重ねて用い、その積層物の一方の面を不織布で覆い、他方の面を防水シートで被覆したパッドが市場に出ているが、この場合、吸水量のあまり高くない吸水紙を用いているので、吸水しても吸水紙から生じるヌルヌル感は小さいことから、吸水量が多く吸水すると大きく膨潤してヌルヌルする吸水シートに比べ、肌触りは改善されると共に、防水シートを用いることによって他の繊維製品への汚液の浸入を防止できるものの、吸水紙が汚液をある程度吸収して飽和状態に近づいてくると、吸水紙に吸収された汚液が、それに加わる体重によって、滲み出て来て肌触りを悪化させばかりか、吸水紙を沢山用いているため、パッドとしては厚みが大きく、取り扱いが不便である。この場合、体液の滲み出を防止しようとすると、吸水紙の枚数が増えてパッドの厚みが増し、吸水紙の枚数を減らしパッドの厚みを薄くすると、体液の滲み出がパッドの使用中においてすぐ発生する関係となる。
【特許文献１】特開平１１−２２７０８５号公報
【特許文献２】特開２００４−１４８０４７号公報
【考案の開示】
【考案が解決しようとする課題】
【０００５】
そこで、本考案は、肌触りがよく、汚液の滲み出等の発生を充分防止でき、かつ他の繊維製品などへの汚液の浸入を防止できると共にその厚みが薄くて取り扱いやすい医療用又は介護用のパッドを提供することを目的とする。
【課題を解決するための手段】
【０００６】
上記目的を達成するために鋭意研究した結果、吸水紙に加えてそれより吸水量の多い吸水シートを用い、これを吸水紙の間に挿入して用いると、吸水紙のソフト感や接触感（肌さわり）を維持しつつ、吸水紙に染み込んだ汚液が、さらに吸水シートに吸収されるため、吸収紙からの汚液の滲み出しを防止できることを見出し、本発明を完成させた。
【０００７】
すなわち、本考案のうち第１の考案は吸水シートの両面にそれぞれ１〜５枚の吸水紙を積層してなる積層物の一方の面を透水性素材で被覆し、積層物の他方の面を非透水性素材で被覆したことを特徴とする医療用又は介護用パッドであり、第２の考案は前記積層物が吸水シートの両面にそれぞれ２若しくは3枚の吸水紙を積層してなる積層物であることを特徴とする第１考案記載の医療用又は介護用パッドである。
【０００８】
本考案において、吸水紙は、医療用又は介護用に用いられる吸水紙であれば特に限定されないが、０．９％生理食塩水に対し自重の５倍〜１５倍の吸水量の吸水紙を用いるのが好ましい。また、吸水シートは医療用又は介護用に用いられる吸水シートであれば、特に限定されないが、吸水量が０．９％生理食塩水に対し自重の２０倍以上、好ましくは３０倍〜１００倍、より好ましくは４０〜６０倍程度の吸水シートを用いるのが好ましい。
【０００９】
本考案に用いる透水性素材は、素材中を水が通過可能な透水性があれば特に限定されないが、例えば、透水性の不織布、透水性の織布若しくはメッシュフィルム等を用いるのが好ましい。この場合、透水性の不織布、透水性の織布としては、濡れてもある程度サラサラ感のあるものを使用するのが好ましく、疎水性繊維に親水性繊維を適度に混合し、さらさら感と透水性のバランスを図るとよい。非透水性素材は、素材中の水の通過を阻止できるような非透水性があれば特に限定されないが、疎水性のプラスチック性フィルムが例示され、特にポリエチレンフィルムやポリプロピレンフィルムを用いるのが好ましい。
【００１０】
本考案に係る医療用又は介護用パッドは、上記の如く、吸水シートの両面にそれぞれ吸水紙を積層した積層物を用いているが、この「積層」とは、単に双方が重ね合わさっている状態を主として意味するが、双方が縫製、貼着、接着などの方法で固着されていてもよい。なお、本考案は一つの吸水シートのみを用いることを前提としているのではなく、本考案の目的、効果を妨げない範囲で、１〜複数の吸収シートを重ねた物の両面にそれぞれ吸水紙を積層した積層物を用いても良いし、このような積層物を複数重ねた積層物の一方の面を透水性素材で被覆し、他方の面を非透水性素材で被覆しても良い。また、かかる積層物において、本考案の目的、効果を妨げない範囲で、吸水紙や吸水シート中に若しくはこれらの吸水紙間や吸水紙と吸水シートの間に又は積層物とその被覆素材との間に消臭剤や芳香剤を包含させても良いし、更に、本考案の目的、効果を妨げない範囲で、吸水紙間若しくは吸水紙と吸水シートの間に又は積層物とその被覆材との間に、別の素材（不織布、織布、紙、フィルム、シート等）を介在させてもよいのは勿論である。
【考案の効果】
【００１１】
本考案に係るパッドを使用する場合は、透水性素材側を表面材として人体に接触させ、非透水性素材側を裏面材として使用することになるが、本考案によれば、汚液は表面材を通してまず吸収紙に吸収され、それを通過したものが、吸水量の多い吸水シートに吸収される。この場合、吸収シートの表面材側に存在する吸水紙は第１発明の場合で、1〜５枚程度であり、吸水紙に吸収された汚液は、人体による負荷の存在する場合でも、表面材側に滲み出ず、吸水シート側に吸収される。したがって、人の肌は、吸水シートが吸水し膨潤した場合のヌメリ（ヌルヌルした状態）に接することなく、使用中、常にほぼ乾燥した状態の吸水紙に表面材を介してして接することになり、不快感を味わうことはない。また、吸水シートの下側の吸水紙は吸水シートから更に汚液を吸収すると共に、膨潤した吸水シートが直接非透水性フィルム等に接した場合のスベリ（ヌメリのあるものが滑らかな非透水性フィルムに接するとスベリを生じる。）を防止する。
【００１２】
特に、第２考案の如く、吸水シートの両面の吸水紙を２，３枚とした場合、パッドの厚みも取り扱いに、より適切な状態となり、表面側の吸水紙の乾燥状態もよいことから、使用中に濡れによる不快感も少なく、医療用又は介護用パッドとして、より好適に用いることができる。なお、表面材についていえば、特に疎水性のメッシュフィルムを用いた場合には、使用者の肌に対しさらさら感があり、しかも、通常、吸水シートの表面材として使用する不職布（レーヨン３０重量％程度を含むポリエチレン繊維製不職布）に比べ、孔を通して汚液をスムーズに吸水紙側に移動させることができる。
【考案を実施するための最良の形態】
【００１３】
本考案を実施するための形態は次の通りであるが、これらは本考案を実施するための形態の一例に過ぎず、本考案はこれらの実施の形態に限定されるものではない。
【００１４】
（実施の形態１）
図１は、本考案に係る医療用又は介護用パッドの一例であり、吸水シート１（５７０ｍｍ×８５０ｍｍ）の両面にそれぞれ吸水紙２（５７０ｍｍ×８５０ｍｍ）の３枚づつを積層した積層物の側面及び裏面を疎水性フィルム４で覆い、積層物の表面側をメッシュフィルム３で被覆して、表面側と裏面側のフィルムを積層物の周辺で融着して作製したものである。
【００１５】
この場合、吸水シート１としては、０．９％生理食塩水に対し自重の５０倍の吸水量があって、目付量が３０ｇ／ｍ2の吸水シート（ベストプロダクツ（株）製ポリマーシート００４０）を、吸水紙２としては、同生理食塩水に対し自重の８倍の吸水量があって、目付量が２７ｇ／ｍ2の吸水紙（カミ商事社製ティッシュ原紙）を用いて、上記積層物を作製した。この積層物（１００ｇ）の０．９％生理食塩水に対する吸水量を次のようにして測定すると、１０００ｇであり、吸水量は自重の１０倍となった。また、上記裏面側の疎水性フィルム４としては、ポリエチレンフィルム（福助工業（株）製）を、表面側のメッシュフィルム３としてはポリエチレン性メッシュフィルム（ＪＥＪＥ姐妹（株）（中国）製）を用いた。
【００１６】
吸水量測定方法；積層物を０．９％生理食塩水に１０分間浸漬した後取り出し、支持棒でその一端を把持してぶら下げた状態にし、１０分間放置する。このときの保水量を吸水量とする。すなわち、吸水量＝「浸漬・１０分間放置後の積層物の重量−浸漬前の積層物の重量」となる。
【００１７】
この実施の形態１のパッドを、例えば、お産の際の敷物や手術現場の敷物として使用すると、メッシュフィルムから入った汚液は、メッシュフィルムの孔を通して、吸水紙に吸収されつつ、さらに吸収シート側へ体液が浸透して行くので、体重による負荷があっても、吸水紙から汚液が滲み出ることなく、使用者は使用中ずっとほぼ乾燥したパッドに触れる感覚で心地よく使用できる。この場合、表面側に疎水性のポリエチレン性メッシュフィルムを使用しているので、サラサラした感触が加わり、使用感がより良好となる。
【００１８】
（実施の形態２）
図２は、本考案に係る医療用又は介護用パッドの他の例であり、吸水シート１１（５７０ｍｍ×８５０ｍｍ）の両面にそれぞれ吸水紙１２（５７０ｍｍ×８５０ｍｍ）を２枚づつを積層した積層物の側面及び裏面を疎水性フィルム１４で覆い、積層物の表面側を不織布１３で被覆して、表面側の不織布と裏面側のフィルムとを積層物の周辺で接着して作製したものである。
【００１９】
この場合、吸水シート１１としては、０．９％生理食塩水に対し自重の６０倍の吸水量があって、目付量が４５ｇ／ｍ2の吸水シート（ベストプロダクツ（株）製ポリマーシート００４５）を、吸水紙１２としては、同生理食塩水に対し自重の８倍の吸水量があって、目付量が２７ｇ／ｍ2の吸水紙（カミ商事社製クレープ紙）を用いて、上記積層物を作製した。この積層物（１３０ｇ）の０．９％生理食塩水に対する吸水量を上記のようにして測定すると、１３００ｇであり、吸水量は自重の１０倍となった。また、上記裏面側の疎水性フィルム１４としては、ポリエチレンフィルム（福助工業（株）製）を、表面側の不織布１３としては、レーヨン繊維３０重量％とポリエチレン繊維７０重量％からなる繊維目付量１７ｇ/ｍ2の不織布（シンワ（株）製）を用いた。
【００２０】
この実施の形態２のパッドを、例えば、お産の際の敷物や手術現場の敷物として使用すると、不職布１３から入った汚液は、不織布を通して、吸水紙１２に吸収されつつさらに吸収シート側１１へ汚液が浸透して行くので、体重による負荷があっても、吸水紙から体液が滲み出ることなく、使用者は使用中ずっとほぼ乾燥したパッドに触れる感覚で心地よく使用できる。この場合、クレープ加工の吸水紙を用いているので、パッドのソフト感が向上することになる。
【産業上の利用可能性】
【００２１】
本考案は、医療用又は介護用パッドに関し、特に手術現場やお産の現場等のように、衛生的に確実な処理が必要な現場において、発生する尿、汗、血液、その他の体液、付着水や薬液等の汚液や汚物の吸水、吸液処理に好適に用いられる医療用又は介護用パッドとして好適に用いられるものである。
【図面の簡単な説明】
【００２２】
【図１】は、本考案に係る医療用又は介護用パッドの一例であって、吸水シートを真中に介在させてその両面に、それぞれ吸水紙の３枚づつを積層した積層物を用いたパッドの横断面の概略図である。
【図２】は、本考案に係る医療用又は介護用パッドの他の例であって、吸水シートを真中に介在させてその両面に、それぞれ吸水紙の２枚づつを積層した積層物を用いたパッドの横断面の概略図である。
【符号の説明】
【００２３】
１、１１  吸水シート
２、１２  吸水紙
３、１３  透水性素材としてのメッシュフィルム又は不織布
４、１４  非透水性素材としての疎水性フィルム
【図１】
0003119908.tif 000003
【図２】
0003119908.tif 000004